(57)【特許請求の範囲】
【請求項１】
アナログ音声信号を符号化してデジタル音声信号とするとともに、デジタル音声信号を復号化してアナログ音声信号とする符号化・復号化手段と、この符号化・復号化手段に接続されるハンドセットと、回線をパソコンに接続するとき第１の側に切り替えられ、回線を前記符号化・復号化手段に接続するとき第２の側に切り替えられる第１の切り替えスイッチと、前記パソコンを用いてデータ通信を行うデータ通信モードのときは前記第１の切り替えスイッチを前記第１の側に切り替え、前記ハンドセットを用いて音声通話を行う通話モードのときは前記第１の切り替えスイッチを前記第２の側に切り替えるように制御する手段とを有するデジタル電話機に設けられ、前記符号化・復号化手段を前記パソコンに接続するとき第１の側に切り替えられ、前記符号化・復号化手段を前記回線に接続するとき第２の側に切り替えられる第２の切り替えスイッチと、前記回線から到来するデジタル音声信号を復号化してアナログ音声信号とする復号化手段と、この復号化手段からのアナログ音声信号と、前記ハンドセットの送話器からのアナログ音声信号とを加算する加算手段と、この加算手段で加算されたアナログ音声信号を符号化してデジタル音声信号とする符号化手段と、前記パソコンを前記回線に接続するとき第１の側に切り替えられ、前記パソコンを前記符号化手段に接続するとき第２の側に切り替えられる第３の切り替えスイッチと、前記回線から到来する音声信号と前記ハンドセットの送話器からの音声信号とをパソコンで録音する録音モードのときは前記第１、第２、および第３の切り替えスイッチをそれぞれ前記第２の側に切り替えるように制御し、前記パソコンで再生された音声信号を前記ハンドセットの受話器から出力する再生モードのときは前記第２の切り替えスイッチを前記第１の側に切り替えるように制御し、さらに前記通話モードのときは前記第２の切り替えスイッチを前記第２の側に切り替えるように制御するとともに、前記データ通信モードのときは前記第３の切り替えスイッチを前記第１の側に切り替えるように制御する手段とを備えたことを特徴とする録音・再生用回路。
【請求項２】
アナログ音声信号を符号化してデジタル音声信号とするとともに、デジタル音声信号を復号化してアナログ音声信号とする符号化・復号化手段と、この符号化・復号化手段に接続されるハンドセットと、回線をパソコンに接続するとき第１の側に切り替えられ、回線を前記符号化・復号化手段に接続するとき第２の側に切り替えられる第１の切り替えスイッチと、前記符号化・復号化手段を前記パソコンに接続するとき第１の側に切り替えられ、前記符号化・復号化手段を前記回線に接続するとき第２の側に切り替えられる第２の切り替えスイッチと、前記回線から到来するデジタル音声信号を復号化してアナログ音声信号とする復号化手段と、この復号化手段からのアナログ音声信号と、前記ハンドセットの送話器からのアナログ音声信号とを加算する加算手段と、この加算手段で加算されたアナログ音声信号を符号化してデジタル音声信号とする符号化手段と、前記パソコンを前記回線に接続するとき第１の側に切り替えられ、前記パソコンを前記符号化手段に接続するとき第２の側に切り替えられる第３の切り替えスイッチと、前記パソコンを用いてデータ通信を行うデータ通信モードのときは前記第１および第３の切り替えスイッチをそれぞれ前記第１の側に切り替えるように制御し、前記ハンドセットを用いて音声通話を行う通話モードのときは前記第１および第２の切り替えスイッチをそれぞれ前記第２の側に切り替えるように制御し、前記回線から到来する音声信号と前記ハンドセットの送話器からの音声信号とをパソコンで録音する録音モードのときは前記第１、第２、および第３の切り替えスイッチをそれぞれ前記第２の側に切り替えるように制御し、前記パソコンで再生された音声信号を前記ハンドセットの受話器から出力する再生モードのときは前記第２の切り替えスイッチを前記第１の側に切り替えるように制御する手段とを備えたことを特徴とするデジタル電話機。
【請求項３】
前記再生モードのときは前記第１の切り替えスイッチを前記第１の側に切り替えるように制御する手段をさらに備えたことを特徴とする請求項２に記載のデジタル電話機。
【発明の詳細な説明】
【０００１】
【発明の属する技術分野】
本発明は、デジタル電話機に接続されたＰＣ（パソコン）に音声を録音し、再生するための録音・再生用回路、並びに、接続されたＰＣに音声を録音し、再生するための機能を有するデジタル電話機に関するものである。
【０００２】
【従来の技術】
データチャネル（Ｄｃｈ）及び第１の通話チャネル（Ｂ１ｃｈ）、第２の通話チャネル（Ｂ２ｃｈ）を持つデジタル電話機の端末にＰＣ等を接続し、データ通信を行うとともに、このデータ通信のためのデータチャネルや通話チャネルを使用して、通話録音、再生をすることが考えられている。
【０００３】
図２は、接続したＰＣに音声を録音し、再生するための機能を有する従来のデジタル電話機の回路構成を示している。図２において、８０はデジタル電話機で、ボタン電話機主装置７０に接続され、デジタル電話機端末８１、ハンドセット８４、及びＰＣインターフェイス回路８７から構成されている。デジタル電話機８０のＰＣインターフェイス回路８７にはＰＣ９０が接続されている。
【０００４】
デジタル電話機端末８１には、切り替えスイッチ８２及びＣＯＤＥＣ（符号化・復号化回路）８３が設けられている。ハンドセット８４は、送話器８５及び受話器８６を有している。
【０００５】
通話チャネル（Ｂｃｈ）、例えば図示のように第１の通話チャネル（Ｂ１ｃｈ）を、データ通信として使用する場合は、切り替えスイッチ８２を図示上側（ｏｎ側（ｏｐｔｉｏｎ  ｓｉｄｅ））に切り替えて、ＰＣ９０側に接続し、音声による通話を行う場合は切り替えスイッチ８２を図示下側（ｏｆｆ側（ＤＫＴ  ｓｉｄｅ））に切り替えて、ハンドセット８４側に接続する。ＣＯＤＥＣ（符号化・復号化回路）８３は送話器８５からのアナログ音声信号を符号化してデジタル音声信号として第１の通話チャネル（Ｂ１ｃｈ）に送出し、また第１の通話チャネル（Ｂ１ｃｈ）から到来するデジタル音声信号を復号化してアナログ音声信号として受話器８６に出力する。
【０００６】
また、相手からの受話音声をＰＣ９０のハードデスク等に録音する場合は、切り替えスイッチ８２を図示上側（ｏｎ側（ｏｐｔｉｏｎ  ｓｉｄｅ））に切り替えて、録音することができる。そして、再生音を聞く場合は、ＰＣ９０に接続されたスピーカ（図示せず）から聞くことができる。
【０００７】
【発明が解決しようとする課題】
上述のように、従来のデジタル電話機においては、通話チャネル（Ｂｃｈ）を使用した場合、相手からの受話音声は、デジタル電話機８０に接続されたＰＣ９０のハードデスク等に録音できるが、自分の送話の音声が録音できないという不具合がある。また、再生音をハンドセット８４の受話器８６から聞くことができないという問題がある。
【０００８】
本発明は、従来のこのような点に鑑み為されたもので、自分の送話の音声と相手からの受話音声とを、デジタル電話機に接続されたパソコンに録音することができ、またデジタル電話機に接続されたパソコンで再生された音声を、ハンドセットで聞くことができるようにするための録音・再生用回路、及びこのような録音・再生機能を有するデジタル電話機を提供することを目的とする。
【０００９】
【課題を解決するための手段】
請求項１に記載の本発明に係る録音・再生用回路は、アナログ音声信号を符号化してデジタル音声信号とするとともに、デジタル音声信号を復号化してアナログ音声信号とする符号化・復号化手段と、この符号化・復号化手段に接続されるハンドセットと、回線をパソコンに接続するとき第１の側に切り替えられ、回線を符号化・復号化手段に接続するとき第２の側に切り替えられる第１の切り替えスイッチと、パソコンを用いてデータ通信を行うデータ通信モードのときは第１の切り替えスイッチを第１の側に切り替え、ハンドセットを用いて音声通話を行う通話モードのときは第１の切り替えスイッチを第２の側に切り替えるように制御する手段とを有するデジタル電話機に設けられ、符号化・復号化手段をパソコンに接続するとき第１の側に切り替えられ、符号化・復号化手段を回線に接続するとき第２の側に切り替えられる第２の切り替えスイッチと、回線から到来するデジタル音声信号を復号化してアナログ音声信号とする復号化手段と、この復号化手段からのアナログ音声信号と、ハンドセットの送話器からのアナログ音声信号とを加算する加算手段と、この加算手段で加算されたアナログ音声信号を符号化してデジタル音声信号とする符号化手段と、パソコンを回線に接続するとき第１の側に切り替えられ、パソコンを前記符号化手段に接続するとき第２の側に切り替えられる第３の切り替えスイッチと、回線から到来する音声信号とハンドセットの送話器からの音声信号とをパソコンで録音する録音モードのときは第１、第２、および第３の切り替えスイッチをそれぞれ第２の側に切り替えるように制御し、パソコンで再生された音声信号をハンドセットの受話器から出力する再生モードのときは第２の切り替えスイッチを第１の側に切り替えるように制御し、さらに通話モードのときは第２の切り替えスイッチを第２の側に切り替えるように制御するとともに、データ通信モードのときは第３の切り替えスイッチを第１の側に切り替えるように制御する手段とを備えたことを特徴とする。
【００１０】
請求項１に記載の本発明に係る録音・再生用回路を用いることにより、自分の送話の音声と相手からの受話音声とを、デジタル電話機に接続されたパソコンに録音することができるとともに、デジタル電話機に接続されたパソコンで再生された音声を、ハンドセットで聞くことができる。
【００１１】
請求項２に記載の本発明に係るデジタル電話機は、アナログ音声信号を符号化してデジタル音声信号とするとともに、デジタル音声信号を復号化してアナログ音声信号とする符号化・復号化手段と、この符号化・復号化手段に接続されるハンドセットと、回線をパソコンに接続するとき第１の側に切り替えられ、回線を符号化・復号化手段に接続するとき第２の側に切り替えられる第１の切り替えスイッチと、符号化・復号化手段をパソコンに接続するとき第１の側に切り替えられ、符号化・復号化手段を回線に接続するとき第２の側に切り替えられる第２の切り替えスイッチと、回線から到来するデジタル音声信号を復号化してアナログ音声信号とする復号化手段と、この復号化手段からのアナログ音声信号と、ハンドセットの送話器からのアナログ音声信号とを加算する加算手段と、この加算手段で加算されたアナログ音声信号を符号化してデジタル音声信号とする符号化手段と、パソコンを回線に接続するとき第１の側に切り替えられ、パソコンを符号化手段に接続するとき第２の側に切り替えられる第３の切り替えスイッチと、パソコンを用いてデータ通信を行うデータ通信モードのときは第１および第３の切り替えスイッチをそれぞれ第１の側に切り替えるように制御し、ハンドセットを用いて音声通話を行う通話モードのときは第１および第２の切り替えスイッチをそれぞれ第２の側に切り替えるように制御し、回線から到来する音声信号とハンドセットの送話器からの音声信号とをパソコンで録音する録音モードのときは第１、第２、および第３の切り替えスイッチをそれぞれ第２の側に切り替えるように制御し、パソコンで再生された音声信号を前記ハンドセットの受話器から出力する再生モードのときは第２の切り替えスイッチを第１の側に切り替えるように制御する手段とを備えたことを特徴とする。
【００１２】
請求項２に記載の本発明に係るデジタル電話機によれば、自分の送話の音声と相手からの受話音声とを、接続されたパソコンに録音することができるとともに、接続されたパソコンで再生された音声を、ハンドセットで聞くことができる。
【００１３】
請求項３に記載の本発明に係るデジタル電話機は、請求項２に記載のデジタル電話機において、再生モードのときは第１の切り替えスイッチを第１の側に切り替えるように制御する手段をさらに備えたことを特徴とする。
【００１４】
請求項３に記載の本発明に係るデジタル電話機によれば、パソコンで再生された音声を相手にも同時に送出することができる。
【００１５】
【発明の実施の形態】
以下、図面を参照して本発明の実施形態について詳細に説明する。
【００１６】
図1は、本発明の一実施形態に係るデジタル電話機の回路構成を示している。図１において、２０はデジタル電話機で、ボタン電話機主装置１０に接続され、デジタル電話機端末３０、ハンドセット４０、及びＰＣインターフェイス回路５０から構成されている。デジタル電話機２０のＰＣインターフェイス回路５０には、ＵＳＢ（ユニバーサルシリアルバス）５５を介してＰＣ６０が接続されている。
【００１７】
デジタル電話機端末３０には、第１の切り替えスイッチ３１、第２の切り替えスイッチ３２、及びＣＯＤＥＣ（符号化・復号化回路）３３が設けられている。ハンドセット４０は、送話器４１及び受話器４２を有している。ＰＣインターフェイス回路５０には、ＣＯＤＥＣ（符号化・復号化回路）５１、加算回路５２、ＣＯＤＥＣ（符号化・復号化回路）５３、及び切り替えスイッチ５４が設けられている。
【００１８】
次に、この実施形態の動作を説明する。この実施形態においては、以下に説明するように「データ通信モード」、「通話モード」、「録音モード」、「再生モード」の４つのモードで動作する。
【００１９】
データ通信モードにおいては、デジタル電話機端末３０の第１の切り替えスイッチ３１図示上側（ｏｎ側（ｏｐｔｉｏｎ  ｓｉｄｅ））に切り替えるとともに、ＰＣインターフェイス回路５０の切り替えスイッチ５４をそれぞれ図示上側に切り替えて、通話チャネル（Ｂｃｈ）、例えば図示のように第１の通話チャネル（Ｂ１ｃｈ）をＰＣ６０に接続することにより相手とデータ通信を行う。
【００２０】
通話モードにおいては、デジタル電話機端末３０の第１の切り替えスイッチ３１を図示下側（ｏｆｆ側（ＤＫＴ  ｓｉｄｅ））に切り替えるとともに、第２の切り替えスイッチ３２を図示左側（ｏｆｆ側）に切り替えて、ハンドセット４０により相手との通話を行う。このとき、ＣＯＤＥＣ（符号化・復号化回路）３３は送話器４１からのアナログ音声信号を符号化してデジタル音声信号として第１の通話チャネル（Ｂ１ｃｈ）に送出し、また第１の通話チャネル（Ｂ１ｃｈ）から到来するデジタル音声信号を復号化してアナログ音声信号として受話器４２に出力する。なお、この通話モードのときは、ＰＣインターフェイス回路５０の切り替えスイッチ５４は上下いずれの側に切り替えられていてもよいが、通常は上側とする。
【００２１】
録音モードにおいては、デジタル電話機端末３０の第１の切り替えスイッチ３１を図示下側（ｏｆｆ側（ＤＫＴ  ｓｉｄｅ））に切り替え、第２の切り替えスイッチ３２を図示左側（ｏｆｆ側）に切り替えるとともに、ＰＣインターフェイス回路５０の切り替えスイッチ５４を下側に切り替えて、相手とハンドセット４０で通話している内容をＰＣ６０に送り、ＰＣ６０のハードデスク等に録音する。
【００２２】
即ち、このとき、第１の通話チャネル（Ｂ１ｃｈ）から到来するデジタル音声信号は、ＰＣインターフェイス回路５０のＣＯＤＥＣ（符号化・復号化回路）５１で復号化されてアナログ音声信号となり、加算回路５２で送話器４１からのアナログ音声信号と加算された後、ＣＯＤＥＣ（符号化・復号化回路）５３で符号化されてデジタル音声信号となり、ＵＳＢ（ユニバーサルシリアルバス）５５を介してＰＣ６０に送出されて、ＰＣ６０のハードデスク等に録音される。なお、ＰＣインターフェイス回路５０からＰＣ６０へのデジタル音声信号の送出は、ＵＳＢ（ユニバーサルシリアルバス）５５を介して、リアルタイム動作であるアイソクロナス転送方式で行うことにより、等時性データの転送が可能となる。また、これと同時に、ＣＯＤＥＣ（符号化・復号化回路）３３は送話器４１からのアナログ音声信号を符号化してデジタル音声信号として第１の通話チャネル（Ｂ１ｃｈ）に送出し、また第１の通話チャネル（Ｂ１ｃｈ）から到来するデジタル音声信号を復号化してアナログ音声信号として受話器４２に出力するので、相手と通話しながら、通話している内容を録音することができる。
【００２３】
再生モードにおいては、デジタル電話機端末３０の第２の切り替えスイッチ３２を図示右側（ｏｎ側）に切り替えて、ＰＣ６０からの音声をハンドセット４０で聞くことができる。このとき、ＰＣ６０からの再生されたデジタル音声信号はＣＯＤＥＣ（符号化・復号化回路）３３で復号化されアナログ音声信号として受話器４２に出力される。また、デジタル電話機端末３０の第１の切り替えスイッチ３１を図示上側（ｏｎ側（ｏｐｔｉｏｎ  ｓｉｄｅ））に切り替えることにより、ＰＣ６０からの再生されたデジタル音声信号を、相手にも同時に送出することができる。
【００２４】
以上説明したように、この実施形態によれば、ＰＣインターフェイス回路５０に自分の送話の音声信号と相手からの受話音声信号とを加算する加算回路５２を設けるとともに、デジタル電話機端末３０に、受話入力をＰＣ６０からの再生音声信号と相手からの受話音声信号とに切り替える第２のスイッチ３２を追加することにより、録音、再生の機能を安価に実現でき、自分の送話の音声と相手からの受話音声とを、接続されたパソコン６０に録音することができるとともに、接続されたパソコンで再生された音声を、ハンドセット４０で聞くことができる。
【００２５】
【発明の効果】
以上説明したように、本発明によれば、自分の送話の音声と相手からの受話音声とを、デジタル電話機に接続されたパソコンに録音することができる。
【００２６】
また、デジタル電話機に接続されたパソコンで再生された音声を、ハンドセットで聞くこともできる。
【図面の簡単な説明】
【図１】  本発明の一実施形態に係るデジタル電話機の回路構成を示すブロック図。
【図２】  従来例の回路構成を示すブロック図。
【符号の説明】
１０…ボタン電話機主装置
２０…デジタル電話機
３０…デジタル電話機端末
３１…第１の切り替えスイッチ
３２…第２の切り替えスイッチ
３３…ＣＯＤＥＣ（符号化・復号化回路）
４０…ハンドセット
４１…送話器
４２…受話器
５０…ＰＣインターフェイス回路
５１…ＣＯＤＥＣ（符号化・復号化回路）
５２…加算回路
５３…ＣＯＤＥＣ（符号化・復号化回路）
５４…切り替えスイッチ
５５…ＵＳＢ（ユニバーサルシリアルバス）
６０…ＰＣ
【図１】
0004149685.tif 000002
【図２】
0004149685.tif 000003